(57)【要約】【課題】吹出し風路各コーナー部から吹出した風は四方向に設けられた開口部へ目掛け吹き込むことにより通風抵抗が増大し、風量の低下および騒音が上昇する。【解決手段】下面側に開口した吸込み口１と、この吸込み口の周囲に略対称に設けられた吹出し口２と、送風ファン３と、この送風ファンの遠心方向周囲に配置される熱交換器４と、前記熱交換器４の周囲に配置される側壁部５と、この側壁部と当接して前記送風ファン上面側を覆う上面部６と、前記側壁部と当接し、前記熱交換器下方を覆うように構成された底面部７とを構成している天井カセツト形空気調和機において、側壁部４に近接して送風方向に立ち上がる仕切り部８と、仕切り部８に連続して送風路９を形成する第２仕切り部とを備え、各コーナー部から吹出した風は、仕切り部８により開口部目掛け吹き込むことなく又、送風路９により各コーナー部の吹出し流を吹出し口２へ抵抗とならずに吹出す。【選択図】図２
2005069586.tif 000002
【特許請求の範囲】
【請求項１】
下面側に開口した吸込み口と、この吸込み口の周囲に略対称に設けられた吹出し口と、送風ファンと、この送風ファンの遠心方向周囲に配置される熱交換器と、前記熱交換器の周囲に配置される側壁部と、この側壁部と当接して前記送風ファン上面側を覆う上面部と、前記側壁部と当接し、前記熱交換器下方を覆うように構成された底面部とを具備した天井カセツト形空気調和機において、前記熱交換器は前記吹出し口の隣接する角部に対向する部位にコーナー部を少なくとも一ヵ所有し、前記角部と前記吹出し口との間を仕切る仕切り部と、この仕切り部に連通して前記コーナー部からの送風を前記吹出し口側に導く送風路とを有することを特徴とした天井カセツト形空気調和機。
【請求項２】
送風路を構成する面はその一部に上面部、側壁部の少なくとも一方を含むことを特徴とする請求項１記載の天井カセツト形空気調和機。
【請求項３】
側壁部は熱交換器の外周側に配置された断熱材で構成されていることを特徴とする請求項１〜２のいずれか一項に記載の天井カセツト形空気調和機。
【請求項４】
底面部は熱交換器の下方側に配置された断熱材で構成されていることを特徴とする請求項１〜２のいずれか一項に記載の天井カセツト形空気調和機。
【請求項５】
仕切り部及び送風路は側壁部に一体に構成されていることを特徴とする請求項１〜２のいずれか一項に記載の天井カセツト形空気調和機。
【請求項６】
仕切り部及び送風路は底面部に一体に構成されていることを特徴とする請求項１〜２のいずれか一項に記載の天井カセツト形空気調和機。
【請求項７】
側壁部と底面部は一体に形成されており、仕切り部及び送風路はこの一体に形成された側壁部及び底面部に一体に構成されていることを特徴とする請求項１記載の仕切り部仕切り部天井カセツト形空気調和機。
【請求項８】
送風路は、その出口側端部が吹出し口の開口部に臨むように構成されていることを特徴とする請求項１〜７のいずれか一項に記載の天井カセツト形空気調和機。
【請求項９】
仕切り部は緩衝材を介して熱交換器に接するように構成したことを特徴とする請求項１〜８のいずれか一項に記載の天井カセツト形空気調和機。
【発明の詳細な説明】
【技術分野】
【０００１】
本発明は天井面に埋め込んで据え付ける天井カセツト形空気調和機に関するものであり、より詳しくはその室内ユニットの送風回路の構造に関するものである。
【背景技術】
【０００２】
従来の天井カセツト形空気調和機の構造について説明する（特許文献１など）。
【０００３】
図１１に示すように、下面側に開口した吸込み口１と、この吸込み口の周囲に略対称に設けられた吹出し口２と、送風ファン３と、この送風ファンの遠心方向周囲に配置される熱交換器４と、前記熱交換器の周囲に配置される側壁部５と、この側壁部と当接して前記送風ファン上面側を覆う上面部６と、前記側壁部と当接し、前記熱交換器下方を覆うように構成された底面部７とから構成されている。
【特許文献１】特開平１０−１９３７０号公報
【発明の開示】
【発明が解決しようとする課題】
【０００４】
しかしながら、上述のように従来の構成では、吹出し風路各コーナー部から吹出した風は四方向に設けられた開口部目掛け吹き込むことにより通風抵抗が増大し、風量性能の低下や騒音の増大を起こす可能性があるという課題を有している。
【０００５】
本発明は上記従来の課題を解決するものであり、吹出し風路各コーナー部からの吹き込み流による騒音の増加を防止し、風量性能のを改善した天井カセツト形空気調和機を提供することを目的とする。
【課題を解決するための手段】
【０００６】
前記従来の課題を解決するために、本発明の天井カセツト形空気調和機は、側壁部に近接して送風方向に立ち上がる仕切り部と、仕切り部に連続して送風路を形成する第２仕切り部を有ししたものである。
【０００７】
これによって、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない。
【発明の効果】
【０００８】
本発明の天井カセツト形空気調和機は、吹出し風路各コーナー部からの吹き込み流による騒音の増加を防止し、風量性能が低下させないことができる。
【発明を実施するための最良の形態】
【０００９】
第１の実施例は、下面側に開口した吸込み口と、この吸込み口の周囲に略対称に設けられた吹出し口と、送風ファンと、この送風ファンの遠心方向周囲に配置される熱交換器と、前記熱交換器の周囲に配置される側壁部と、この側壁部と当接して前記送風ファン上面側を覆う上面部と、前記側壁部と当接し、前記熱交換器下方を覆うように構成された底面部とを具備した天井カセツト形空気調和機において、前記熱交換器は前記吹出し口の隣接する角部に対向する部位にコーナー部を少なくとも一ヵ所有し、前記角部と吹出し口との間を仕切る仕切り部と、この仕切り部に連通してコーナー部からの送風を前記吹出し口側に導く送風路とを設置することにより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。側壁部、上面部、低面部とは、断熱材及び熱交換器が対向する部分は樹脂板で構成され、その外側に断熱材が配置された場合、中空層を形成して断熱構造を取った場合を含む
第２の実施例は、送風路を構成する面はその一部に上面部、側壁部の少なくとも一方を含むことにより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１０】
第３の実施例は、側壁部は熱交換器の外周側に配置された断熱材で構成されていることにより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１１】
第４の実施例は、底面部は熱交換器の下方側に配置された断熱材で構成されていることにより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１２】
第５の実施例は、仕切り部及び送風路は側壁部に一体に構成されていることより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１３】
第６の実施例は、仕切り部及び送風路は底面部に一体に構成されていることより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１４】
第７の実施例は、側壁部と底面部は一体に形成されており、仕切り部及び送風路はこの一体に形成された側壁部及び底面部に一体に構成されていることより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１５】
第８の実施例は、送風路は、その出口側端部が吹出し口の開口部に臨むように構成されていることより、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１６】
第９の実施例は、仕切り部は緩衝材を介して熱交換器に接するように構成したことにより、前記仕切り部を損傷することなく熱交換器を組み立てられ、各コーナー部から吹出した風は、仕切り部により開口部目掛け吹き込むことなく又、送風路により各コーナー部の吹出し流を吹出し口へ抵抗とならずに吹出すため、吹き込み流による騒音の増加を防止し、風量性能は低下しない効果を得る。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における天井カセツト形空気調和機の分解図を示すものである。
【００１９】
図１において、下面側に開口した吸込み口１と、この吸込み口の周囲に略対称に設けられた吹出し口２と、送風ファン３と、この送風ファンの遠心方向周囲に配置される熱交換器４と、前記熱交換器４の周囲に配置される側壁部５と、この側壁部と当接して前記送風ファン上面側を覆う上面部６と、前記側壁部と当接し、前記熱交換器下方を覆うように構成された底面部７とを構成している。
【００２０】
図２は、本発明の第１の実施の形態における天井カセツト形空気調和機の部分断面図を示すものである。
【００２１】
図２において、前記熱交換器４は前記吹出し口２の隣接する角部に対向する部位にコーナー部を少なくとも一ヵ所有し、前記角部と前記吹出し口との間を仕切る仕切り部８と、この仕切り部に連通して前記コーナー部からの送風を前記吹出し口側に導く送風路９とを構成している。
【００２２】
以上のように構成された天井カセツト形空気調和機について、以下その動作、作用を説明する。
【００２３】
まず、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【００２４】
以上のように、本実施の形態においては前記熱交換器４は前記吹出し口２の隣接する角部に対向する部位にコーナー部を少なくとも一ヵ所有し、前記角部と前記吹出し口との間を仕切る仕切り部８と、この仕切り部に連通して前記コーナー部からの送風を前記吹出し口側に導く送風路９とを構成することにより、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない
（実施の形態２）
図３は、本発明の第２の実施の形態の天井カセツト形空気調和機の部分断面図である。  
【００２５】
図３において、送風路１０を構成する面はその一部に上面部６、側壁部５の少なくとも  一方を含む構成をしている。
【００２６】
以上のように構成された天井カセツト形空気調和機について、以下その動作、作用を説明する。
【００２７】
まず、各コーナー部から吹出した風は、仕切り部８により開口部目掛け吹き込むことなく又、上面部６、側壁部５の少なくとも一方を含む送風路１０により各コーナー部の吹出し流を吹出し口２へ抵抗とならずに吹出すため、吹き込み流による騒音の増加を防止し、風量性能は低下しない。
【００２８】
以上のように、本実施の形態においては送風路１０を構成する面はその一部に上面部６、側壁部５の少なくとも一方を含む構成をすることにより、各コーナー部から吹出した風は、仕切り部８により開口部目掛け吹き込むことなく又、上面部６、側壁部５の少なくとも一方を含む送風路１０により各コーナー部の吹出し流を吹出し口２へ抵抗とならずに吹出すため、吹き込み流による騒音の増加を防止し、風量性能は低下しない。
【００２９】
（実施の形態３）
図４において、側壁部１１は熱交換器４の外周側に配置された断熱材で構成している。  
【００３０】
以上のように構成された天井カセツト形空気調和機について、以下その動作、作用を説明する。
【００３１】
まず、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【００３２】
以上のように、本実施の形態においては、側壁部１１は熱交換器４の外周側に配置された断熱材で構成することにより、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【００３３】
（実施の形態４）
図５は、本発明の第４の実施の形態の天井カセツト形空気調和機の側面図である。
【００３４】
図５において、底面部１２は熱交換器４の下方側に配置された断熱材で構成している。  
【００３５】
以上のように構成された天井カセツト形空気調和機について、以下その動作、作用を  説明する。
【００３６】
まず、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【００３７】
以上のように、本実施の形態においては、底面部１２は熱交換器４の下方側に配置された断熱材で構成することにより、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【００３８】
（実施の形態５）
図６は、本発明の第５の実施の形態の天井カセツト形空気調和機の部分断面図である。  
【００３９】
図６において、仕切り部１３及び送風路１４は側壁部５に一体に構成している。
【００４０】
以上のように構成された天井カセツト形空気調和機について、以下その動作、作用を  説明する。
【００４１】
まず、各コーナー部から吹出した風は、仕切り部１３により開口部目掛け吹き込むことなく又、送風路１４により各コーナー部の吹出し流を吹出し口２へ抵抗とならずに吹出すため、吹き込み流による騒音の増加を防止し、風量性能は低下しない。
【００４２】
以上のように、本実施の形態においては、仕切り部１３及び送風路１４は側壁部５に一体に構成することにより、各コーナー部から吹出した風は、仕切り部１３により開口部目掛け吹き込むことなく又、送風路１４により各コーナー部の吹出し流を吹出し口２へ抵抗とならずに吹出すため、吹き込み流による騒音の増加を防止し、風量性能は低下しない。
【００４３】
（実施の形態６）
図７は、本発明の第６の実施の形態の天井カセツト形空気調和機の部分断面図である。  
【００４４】
図７において、仕切り部１５及び送風路１６は底面部７に一体に構成している。
【００４５】
以上のように構成された天井カセツト形空気調和機について、以下その動作、作用を  説明する。
【００４６】
まず、各コーナー部から吹出した風は、仕切り部１５により開口部目掛け吹き込むことなく又、送風路１６により各コーナー部の吹出し流を吹出し口２へ抵抗とならずに吹出すため、吹き込み流による騒音の増加を防止し、風量性能は低下しない。
【００４７】
以上のように、本実施の形態においては、仕切り部１５及び送風路１６は底面部７に一体に構成することにより、各コーナー部から吹出した風は、仕切り部１５により開口部目掛け吹き込むことなく又、送風路１６により各コーナー部の吹出し流を吹出し口２へ抵抗とならずに吹出すため、吹き込み流による騒音の増加を防止し、風量性能は低下しない。
【００４８】
（実施の形態７）
図８は、本発明の第７の実施の形態の天井カセツト形空気調和機の部分断面図である。  
【００４９】
図８において、側壁部５と底面部７は一体に形成されており、仕切り部１７及び送風路１８はこの一体に形成された側壁部５及び底面部７に一体に構成している。
【００５０】
以上のように構成された天井カセツト形空気調和機について、以下その動作、作用を  説明する。
【００５１】
まず、各コーナー部から吹出した風は、仕切り部１７により開口部目掛け吹き込むことなく又、送風路１８により各コーナー部の吹出し流を吹出し口２へ抵抗とならずに吹出すため、吹き込み流による騒音の増加を防止し、風量性能は低下しない。
【００５２】
以上のように、本実施の形態においては、側壁部５と底面部７は一体に形成されており  、仕切り部１７及び送風路１８はこの一体に形成された側壁部５及び底面部７に一体に  構成することにより、各コーナー部から吹出した風は、仕切り部１７により開口部目掛  け吹き込むことなく又、送風路１８により各コーナー部の吹出し流を吹出し口２へ抵抗  とならずに吹出すため、吹き込み流による騒音の増加を防止し、風量性能は低下しない  。
【００５３】
（実施の形態８）
図９は、本発明の第８の実施の形態の天井カセツト形空気調和機の部分断面図である。  
【００５４】
図９において、送風路１９は、その出口側端部が吹出し口２の開口部に臨むように構成している。
【００５５】
以上のように構成された天井カセツト形空気調和機について、以下その動作、作用を  説明する。
【００５６】
まず、各コーナー部から吹出した風は、仕切り部８により開口部目掛け吹き込むことなく又、送風路１９により各コーナー部の吹出し流を吹出し口２へ抵抗とならずに吹出すため、吹き込み流による騒音の増加を防止し、風量性能は低下しない。
【００５７】
以上のように、本実施の形態においては、送風路１９は、その出口側端部が吹出し口２  の開口部に臨むように構成することにより、各コーナー部から吹出した風は、仕切り部  ８により開口部目掛け吹き込むことなく又、送風路１９により各コーナー部の吹出し流  を吹出し口２へ抵抗とならずに吹出すため、吹き込み流による騒音の増加を防止し、風  量性能は低下しない。
【００５８】
（実施の形態９）
図１０は、本発明の第８の実施の形態の天井カセツト形空気調和機の部分断面図である。
【００５９】
図１０において、仕切り部８は緩衝材２０を介して熱交換器４に接するように構成している。
【００６０】
以上のように構成された天井カセツト形空気調和機について、以下その動作、作用を説明する。
【００６１】
まず、緩衝材２０の緩衝により仕切り部８を損傷することなく熱交換器４を組み立てられ、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【００６２】
以上のように仕切り部８は緩衝材２０を介して熱交換器４に接するように構成することにより仕切り部８を損傷することなく熱交換器４を組み立てられ、各コーナー部から吹出した風は、仕切り部８により開口部目掛け吹き込むことなく又、送風路９により各コーナー部の吹出し流を吹出し口２へ抵抗とならずに吹出すため、吹き込み流による騒音の増加を防止し、風量性能は低下しない。
【産業上の利用可能性】
【００６３】
以上のように、本発明にかかる天井カセツト形空気調和機は、各コーナー部の吹出し流を吹出し口へ抵抗とならずに吹出すため、吹き込み流による騒音の増加を防止し、風量性能は低下しないことが可能となるので、住宅および設備などの空調に用いる空気調和機の室内ユニット等の用途にも適用できる。
【図面の簡単な説明】
【００６４】
【図１】本発明の実施の形態１における天井カセツト形空気調和機の分解図
【図２】本発明の実施の形態１における天井カセツト形空気調和機の部分断面図
【図３】本発明の実施の形態２における天井カセツト形空気調和機の部分断面図
【図４】本発明の実施の形態３における天井カセツト形空気調和機の部分断面図
【図５】本発明の実施の形態４における天井カセツト形空気調和機の部分断面図
【図６】本発明の実施の形態５における天井カセツト形空気調和機の部分断面図
【図７】本発明の実施の形態６における天井カセツト形空気調和機の部分断面図
【図８】本発明の実施の形態７における天井カセツト形空気調和機の部分断面図
【図９】本発明の実施の形態８における天井カセツト形空気調和機の部分断面図
【図１０】本発明の実施の形態９における天井カセツト形空気調和機の部分断面図
【図１１】従来の天井カセツト形空気調和機の分解図
【符号の説明】
【００６５】
１    吸込み口
２    吹出し口
３    送風ファン
４    熱交換器
５    側壁部
６    上面部
７    底面部
８    仕切り部
９    送風路
２０    緩衝材
【図１】
2005069586.tif 000003
【図２】
2005069586.tif 000004
【図３】
2005069586.tif 000005
【図４】
2005069586.tif 000006
【図５】
2005069586.tif 000007
【図６】
2005069586.tif 000008
【図７】
2005069586.tif 000009
【図８】
2005069586.tif 000010
【図９】
2005069586.tif 000011
【図１０】
2005069586.tif 000012
【図１１】
2005069586.tif 000013